(57)【要約】  【課題】この発明は、誤って演奏中止ボタンを押した場合でも演奏が中止されないカラオケ装置を提供する。  【解決手段】演奏するカラオケ曲を選択する選曲操作部および演奏の中止を指示する演奏中止操作部１５ａを備えたカラオケ装置本体の操作パネル１５と、選曲操作部および演奏中止操作部を備えたリモコン装置５と、選曲操作部で選択されたカラオケ曲を演奏するとともに、カラオケ曲の演奏中に、リモコン装置５の演奏中止操作部が複数回操作されたとき演奏中のカラオケ曲の演奏を中止し、操作パネル１５の演奏中止操作部が操作された場合は１回の操作で演奏中のカラオケ曲の演奏を中止する制御手段１０と、を備えたカラオケ装置である。【選択図】  図１
2006048076.tif 000002
【特許請求の範囲】
【請求項１】
演奏するカラオケ曲を選択する選曲操作部および演奏の中止を
指示する演奏中止操作部を備えたカラオケ装置本体の操作パネルと、
選曲操作部および演奏中止操作部を備えたリモコン装置と、
前記選曲操作部で選択されたカラオケ曲を演奏するとともに、カラオケ曲の演
奏中に、前記リモコン装置の前記演奏中止操作部が複数回操作されたとき演奏中
のカラオケ曲の演奏を中止し、前記操作パネルの演奏中止操作部が操作された場
合は１回の操作で前記演奏中のカラオケ曲の演奏を中止する制御手段と、
を備えたカラオケ装置。
【発明の詳細な説明】
【技術分野】
【０００１】
この発明は、カラオケ装置に関し、特に、カラオケ曲の演奏を途中で中止する
ための演奏中止操作がされたときの処理の改善に関する。
【背景技術】
【０００２】
カラオケ装置は、曲番号を入力して予約されたカラオケ曲の曲データを読み出
し、この曲データを音源などの楽音発生部に入力してカラオケ演奏音を発生する
。通常は曲データを最後まで読み出して曲が終了したのち演奏を終えるが、歌唱
者は都合で途中で演奏を中止したくなる場合があり、この場合に対応できるよう
にカラオケ装置のリモコン装置や本体には演奏の中止を指示する演奏中止ボタン
が設けられている（例えば特許文献１を参照）。この演奏中止ボタンがオンされると、カラオケ装置は、演奏音を停止するとともにモニタの表示を消去して演奏を途中で取り止め、予約があれば次の曲の演奏に移行する。
【特許文献１】特開平０８−２３４７７３号公報
【発明の開示】
【発明が解決しようとする課題】
【０００３】
しかし、カラオケ装置に付属しているリモコンは、カラオケ装置の全機能をコ
ントロールするため小型の筐体に多数の押しボタンスイッチ等が密に設けられて
いる。このため、他のボタンと間違えて演奏中止ボタンを押してしまったり、隣
のボタンを押したときに一緒に演奏中止ボタンを押してしまうことがあった。こ
のような場合、歌唱者の意図に反して突然演奏が中止されてしまい、歌唱者に対
するサービスの低下になるとともに、その場の雰囲気を悪くする原因にもなって
いた。
【０００４】
この発明は、誤って演奏中止ボタンを押した場合でもカラオケ曲の演奏が中止
されないカラオケ装置を提供することを目的とする。
【課題を解決するための手段】
【０００５】
この発明は、演奏するカラオケ曲を選択する選曲操作部および演奏の中止を指
示する演奏中止操作部を備えたカラオケ装置本体の操作パネルと、選曲操作部お
よび演奏中止操作部を備えたリモコン装置と、前記選曲操作部で選択されたカラ
オケ曲を演奏するとともに、カラオケ曲の演奏中に、前記リモコン装置の前記演
奏中止操作部が複数回操作されたとき演奏中のカラオケ曲の演奏を中止し、前記
操作パネルの演奏中止操作部が操作された場合は１回の操作で前記演奏中のカラ
オケ曲の演奏を中止する制御手段と、を備えたことを特徴とする。
【発明の効果】
【０００６】
この発明によれば、複数回の演奏中止指示でカラオケ曲の演奏を中止するようにしたことにより、操作間違いを無くし、歌唱者に対するサービスの低下を防ぐことができる。
【発明を実施するための最良の形態】
【０００７】
図面を参照してこの発明の実施形態であるカラオケ装置について説明する。カ
ラオケ装置本体は、正面パネルに複数のパネルスイッチを備えており、そのなか
に演奏中止ボタンや予約取消ボタンが含まれている。また、このカラオケ装置に
は赤外線リモコン装置（汎用リモコン）が付属しており、この汎用リモコンに設
けられている複数のボタンスイッチにも演奏中止ボタンや予約取消ボタンが含ま
れている。カラオケ曲の演奏中に演奏中止ボタンがオンされ演奏中止の指示が入
力されると、カラオケ装置は演奏を中止するが、演奏中止ボタンの１回のオンで
は演奏を中止せず、演奏中止ボタンが２回オンされたとき演奏を中止するように
している。１回目の演奏中止ボタンのオンで「本当に中止してもいいですか？」
のダイヤログをモニタの歌詞テロップに掛からない場所に表示し、このダイヤロ
グの表示中にもう一度演奏中止ボタンがオンされたとき演奏を中止する。これに
より、押し間違いでカラオケ曲の演奏が中止されないようにしている。また、歌
唱者以外の者が演奏を中止しようとしても、このダイヤログを表示することによ
って歌唱者がそれを制止することができるようにしている。
【０００８】
また、カラオケ装置に付属している汎用のリモコン装置のみでなく、利用者が
各自で所持する個人用リモコン装置も普及している。この個人用リモコンで曲番
号を入力（カラオケ曲を予約）した場合、曲番号と同時にこのリモコンのＩＤコ
ードすなわち利用者のＩＤコードもカラオケ装置本体に一緒に送信され、予約リ
ストに記憶される。すなわち、個人用リモコン装置を用いて予約した場合には、
誰が予約したものであるかが予約リストに記憶される。汎用リモコン装置の演奏
中止ボタンが押され、または、カラオケ装置本体の演奏中止ボタンが押されたと
きは上記と同様にダイアログを表示するが、その曲を予約した利用者（個人用リ
モコン装置）から演奏中止の指示が入力されたとき演奏中止コードが入力された
ときは、上記ダイアログを表示することなく１回の入力で演奏を中止する。これ
は、曲を予約した本人ならば自分の責任で演奏を中止するため、確認する必要が
ないと考えられるからである。
【０００９】
また、演奏の中止だけでなく、予約の取り消しに関しても上記と同様の処理を
する。
【００１０】
図１は同カラオケ装置のブロック図である。カラオケ装置の動作を制御するＣ
ＰＵ１０には内部バスを介してＲＯＭ１１、ＲＡＭ１２、リモコン受信部１３、
表示パネル１４、パネルスイッチ１５、インタフェース１６、システムハードデ
ィスク１７、背景映像用ハードディスク１８，１９、通信制御部２０、デコーダ
２１、２２、表示制御部２３、楽音発生部２４、オーディオ回路２５が接続され
ている。
【００１１】
ＲＯＭ１１には、このカラオケ装置を起動するためのブートプログラムなどが
記憶されている。ブートプログラムはハードディスクをアクセスしてシステムプ
ログラムを読み出し、装置を起動するプログラムである。ＣＰＵ１０は、このブ
ートプログラムに基づき、システムプログラム・カラオケ演奏実行プログラムが
記憶されているシステムハードディスク１７にアクセスする。システムハードデ
ィスク１７には、システムプログラム・カラオケ演奏実行プログラムのほか、曲
データなどが記憶されている。また、背景映像用ハードディスク１８，１９には
、背景映像用の映像データが記憶されている。
【００１２】
通信制御部２０はモデムやターミナルアダプタを有し電話回線を介して配信セ
ンタ９と通信する装置である。配信センタ９は、定期的にカラオケ装置に対して
電話を掛け、新曲の楽曲データなどを配信する。配信されてきた新曲の楽曲デー
タはシステムハードディスク１７に書き込まれる。
【００１３】
リモコン受信部１３は、汎用のリモコン装置５や個人用のリモコン装置６など
から送られてくる赤外線信号を受信してデータに復元してＣＰＵ１０に入力する
。ＣＰＵ１０は、受信したコードが曲番号の場合にはこれを予約リスト（図３参
照）に登録し、受信したコードが演奏中止コードの場合には図５のフローチャー
トに示すような演奏中止処理を実行する。
【００１４】
表示パネル１４は予約入力された曲番号や予約曲数などを表示する。また、パ
ネルスイッチ１５は、汎用のリモコン装置５とほぼ同様の曲番号を入力するため
のテンキー、演奏の調（キー）を上下するキーコンボタン、演奏のテンポを速く
または遅くするテンポコントロールボタン、演奏中のカラオケ曲の演奏を中止す
る演奏中止ボタン１５ａ、予約したカラオケ曲の予約を取り消す予約取消ボタン
１５ｂ、上下のカーソル移動ボタンなどを有している。
【００１５】
表示制御部２３は、デコーダ２１，２２から入力される背景映像の映像信号の
上にＣＰＵ１０が曲データの歌詞データに基づいて合成した歌詞の文字パターン
やダイアログなどをスーパーインポーズ合成してモニタ３に出力する装置であり
、背景映像はデコーダ２１とデコーダ２２が交互に背景映像を再生するため、そ
の切り換わり時に一方の映像信号から他方の映像信号へクロスフェードで映像を
切り換える。背景映像は、曲データに応じてＣＰＵ１０が決定する。決定された
背景映像の映像データをデコーダ２１，２２が読み出して映像信号に復調し、表
示制御部２３に入力する。また、歌詞の文字パターンは、ＣＰＵ１０が演奏と並
行して曲データから読み出される歌詞データに基づいて合成する。
【００１６】
楽音発生部２４は、曲データの演奏データに基づいて電子的に楽音信号を合成
する音源装置およびバックコーラスの波形データをデコードして音声信号を復調
するデコーダを備え、楽器の楽音やバックコーラスなどのカラオケ演奏音を発生
する。発生したカラオケ演奏音はオーディオ回路２５に入力される。オーディオ
回路は、マイク４から入力された歌唱者の歌唱音声信号とこのカラオケ演奏音と
をミキシングしてスピーカ２から出力する。
【００１７】
図２は上記リモコン装置５，６のブロック図である。同図（Ａ）のリモコン装
置５はカラオケ装置に付属している汎用のリモコン装置であり、同図（Ｂ）のリ
モコン装置６は利用者が個人で所持する個人用リモコン装置である。
同図（Ａ）において、マイコンで構成されるコントローラ３０には、キーボー
ド３１、メモリ３２および発光部３３が接続されている。キーボード３１は、曲
番号を入力するためのテンキーのほか演奏の調（キー）を上下するキーコンボタ
ンや演奏のテンポを速くまたは遅くするテンポコントロールボタン、演奏中のカ
ラオケ曲の演奏を中止する演奏中止ボタン３１ａ、予約したカラオケ曲の予約を
取り消す予約取消ボタン３１ｂ、上下のカーソル移動ボタンなどを含んでいる。
【００１８】
メモリ３２にはキーボード３２に含まれる各キースイッチに対応するコードが記
憶されている。発光部３０は赤外線ＬＥＤとこの赤外線を駆動するＬＥＤドライ
バを含んでおり、コントローラ３０から入力されるコードを赤外線信号として出
力する。
【００１９】
コントローラ３０は、キーボード３１の各ボタンスイッチのオン／オフを定期
的にスキャンする。このスキャンでオンされたボタンスイッチを発見すると、そ
のボタンスイッチに対応するコードをメモリ３２から読み出して発光部３３に入
力する。発光部３３はこのコードを赤外線信号に変換して出力する。この赤外線
信号はリモコン受信部１３に受信され、カラオケ装置本体１のＣＰＵ１０に入力
される。
【００２０】
同図（Ｂ）において、個人用リモコン装置６も基本的な構成は上記汎用リモコ
ン装置５と同じである。すなわちコントローラ４０、キーボード４１、メモリ４
２、発光部４３を備えている。ただし、個人用リモコン装置６は、利用者が携帯
できるように小型になっており、キーボード４１は汎用リモコン装置６ほど多数
のキーを備えていないが、演奏中止ボタン４１ａ，予約取消ボタン４１ｂを備え
ている。また、メモリ４２は、ＳＲＡＭまたはＥＥＰＲＯＭで構成されており書
き込みが可能である。このメモリには、このリモコン（このリモコンの所持者）
のＩＤコードが書き込まれているＩＤ記憶エリア４２ａが設定されている。
コントローラ４０は、キーボード４１の各ボタンスイッチのオン／オフを定期
的にスキャンする。このスキャンによってオンされたボタンスイッチを発見する
と、そのボタンスイッチに対応するコードをメモリ４２から読み出して発光部４
３に入力する。このとき同時にこのリモコン装置のＩＤをＩＤ記憶エリア４２ａ
から読み出してこのＩＤも同時に発光部４３に入力する。発光部４３はこの入力
ボタンに対応するコードおよびＩＤコードを赤外線信号に変換して出力する。こ
の赤外線信号はリモコン受信部１３に受信され、カラオケ装置本体１のＣＰＵ１
０に入力される。
【００２１】
図３はＲＡＭ１２に設定される予約リストを示す図である。本体のパネルスイ
ッチ１５、リモコン装置４，６、電子目次本７から曲番号が入力されカラオケ曲
の演奏が予約されると、この予約リストに登録される。予約リストには１０曲程
度の曲番号を記憶することができる。予約リストには予約順に曲番号が登録され
、最先に登録された曲（最上位の曲）から順に演奏が実行される。最上位の曲が
演奏されるとその曲の曲番号は予約リストから外されて欄外の現曲記憶エリアに
書き込まれ、予約リストに記憶されている全ての曲番号が順次１つ上にシフトさ
れる。また、個人用リモコン６から曲番号が入力された場合には、この曲番号と
一緒にリモコンのＩＤコードも送られてくるため、これを選曲者ＩＤとして予約
リストにその曲番号と対応づけて記憶する。
【００２２】
このように選曲者ＩＤを対応づけて記憶することにより、その曲が誰によって
予約されたかを知ることができ、曲スタート時にその予約した利用者の名前を表
示するなどのサービスをすることができる。また、予約者以外の者が予約取消、
演奏中止などを要求したときに確認をするなどの対応が可能になる。
【００２３】
上記カラオケ装置でカラオケ曲を演奏するときの利用者の操作およびカラオケ
装置の動作を説明する。利用者は汎用のリモコン装置５、個人用リモコン装置６
または電子目次本７を用いて曲番号を入力する。曲番号はリモコン受信部１３ま
たはインタフェース１６を介してＣＰＵ１０に入力され、これが予約リスト（図
３参照）に登録される。個人用リモコン装置６から曲番号が入力された場合には
、同時にＩＤコードが送られてくるため、これを受信して予約リストの曲番号に
対応するエリアに記憶する。
【００２４】
図４〜図６のフローチャートを参照してカラオケ装置の動作について説明する
。図４はカラオケ曲予約時の動作を示すフローチャートである。利用者から曲番
号が入力されたときこの動作を実行する。曲番号が入力されると（ｓ１）、予約
リストの最下位にこの曲番号を書き込む（ｓ２）。そして、一緒にＩＤコードが
送られてきたかを判断する（ｓ３）。ＩＤコードが送られてくると、これを上記
曲番号に対応させて予約リストに書き込む（ｓ４）。
【００２５】
図５は予約されたカラオケ曲を処理する動作のフローチャートである。ます予
約リストに予約があるか否かをチェックする（ｓ１０）予約がない場合には予約
が登録されるまでここで待機する。
【００２６】
予約がある場合は、予約リストの最上位から曲番号が読み出し（ｓ１１）、こ
の曲番号で識別される曲データを読み出す（ｓ１２）。曲データを読み出したの
ち予約リストをシフトする（ｓ１３）。すなわち、最上位の曲番号（曲データを
読み出した曲番号）を現曲番号記憶エリアにシフトし、予約リストの曲番号を１
つずつ上位にシフトする。そして、読み出した曲データを用いてカラオケ曲の演
奏をスタートする（ｓ１４）。演奏中は、演奏の中止が指示されるかを監視して
いる（ｓ１５）。演奏の中止は、上記のように本体スイッチ１５ａ、汎用リモコ
ン装置５、個人用リモコン装置６、電子目次本７のいずれかから入力される。曲
が終了するまでに演奏の中止が指示されると、その中止の指示と一緒にＩＤコー
ドが入力され、且つそのＩＤコードが演奏中の曲（現曲）を予約した選曲者ＩＤ
と同一であるかを判断する（ｓ１７）。同一であれば、すなわち、予約した個人
用リモコンと同じ個人用リモコンから演奏中止コードが送信されてきた場合には
、即演奏の中止処理を行い（ｓ２２）、次の曲に進む（ｓ１０）。演奏の中止処
理は楽音の停止および画面の消去などである。また、カラオケ装置本体の演奏中
止ボタンがオンされた場合（ｓ１８）にも、即座にｓ２２に進んで演奏の中止処
理を行う。
【００２７】
一方、現曲記憶エリアにＩＤが記憶されていない場合、現曲記憶エリアにＩＤ
が記憶されているが、これ以外のＩＤで演奏中止が指示された場合、汎用リモコ
ン装置５などからＩＤコードを伴わずに演奏の中止が指示された場合などには、
ｓ１９に進んで図７（Ａ）に示すようなダイアログを表示する。ダイアログでは
、「演奏を中止してもいいですか？演奏を中止するときはもう一度演奏中止キー
をオンしてください」の文言を表示する。この表示を５秒間継続するが（ｓ２１
）、その間にもう一度演奏の中止が指示されるとｓ２２に進んで演奏中止処理を
行ってｓ１０にもどる。ダイアログが表示されている５秒間に何もされない場合
にはダイヤログを消去してｓ１５にもどる。
【００２８】
これにより、演奏中に演奏中止が指示されたとき、通常はダイヤログを表示し
、予約した本人（歌唱している者）が中止を指示したときには即座に中止するこ
とができる。それ以外のときには、押し間違いを防止するためにダイアログを表
示して２回押すようにしている。なおｓ１８は、本体のパネルスイッチ１５は押
し間違う確率が少ないため、本体の演奏中止スイッチ１５ａがオンされた場合に
はｓ１８で直接演奏中止処理に進むようにしているが、このｓ１８のジャッジを
なくして予約時と取消時に同じＩＤコードが送られてきた場合以外はダイアログ
を表示するようにしてもよい。
【００２９】
また、インタフェース１６を介して接続される電子目次本７は汎用のリモコン
装置５と同様に複数の利用者（歌唱者）のカラオケ曲を予約するためのものであ
るため、この電子目次本７から予約されたカラオケ曲については同じ電子目次本
から演奏中止の指示があってもダイアログを表示するようにしているが、この電
子目次本についても、同じ電子目次本から入力された場合には即座に演奏中止処
理をするようにしてもよい。なお、電子目次本７はインタフェースのＩＤで識別
可能である。
【００３０】
図６は予約取消時の動作を示すフローチャートである。この動作はリモコン等
から予約取消の指示があったとき実行される。予約取消指示があると（ｓ３０）
、図７（Ｂ）の予約のリストを表示する（ｓ３１）。カーソルキーを操作して取
り消したい曲の欄にカーソルを移動させ、確定キーをオンして取消指定操作を行
う（ｓ３２）。取消操作された装置から送られてきたＩＤコードと予約の取消が
指示された曲の選曲者ＩＤを比較し（ｓ３３）、同じであれば予約リストからこ
の曲を消去する（ｓ３５）。また、カラオケ装置本体の予約取消スイッチ１５ｂ
などの操作であっても同様に予約を取り消す（ｓ３４→ｓ３５）。一方、予約し
たリモコン以外のリモコンから操作された場合にはこれを無視して処理を終える
。
【００３１】
このように、図６の予約取消処理ではＩＤが一致しない場合には操作を無視す
るようにしているが、図５の演奏中止処理と同様にＩＤが一致しない場合にはダ
イアログを表示して警告し、２回の操作で予約取消を認めるようにしてもよい。
【００３２】
とのときの処理は図５のｓ１７〜ｓ２３と同様である。また、図５の演奏中止処
理においても、ＩＤが一致しない場合には演奏中止の指示を無視するようにして
もよい。
【図面の簡単な説明】
【００３３】
【図１】この発明の実施形態であるカラオケ装置のブロック図
【図２】同カラオケ装置のリモコン装置のブロック図
【図３】同カラオケ装置のメモリに設定される予約リストを示す図
【図４】同カラオケ装置の動作を示すフローチャート
【図５】同カラオケ装置の動作を示すフローチャート
【図６】同カラオケ装置の動作を示すフローチャート
【図７】同カラオケ装置のモニタに表示されるダイヤログを示す図
【符号の説明】
【００３４】
１…カラオケ装置本体、３…モニタ、５…（汎用の）リモコン装置、６…（個
人用の）リモコン装置、７…電子目次本、１５…パネルスイッチ、１５ａ、３１ａ…演奏中止ボタン
【図１】
2006048076.tif 000003
【図２】
2006048076.tif 000004
【図３】
2006048076.tif 000005
【図４】
2006048076.tif 000006
【図５】
2006048076.tif 000007
【図６】
2006048076.tif 000008
【図７】
2006048076.tif 000009